(57)【要約】本発明は、マスカラ棒に磁石が内蔵され、東洋人の短いまつ毛に適しており、卓越なカーリング、ロングラッシュ及びボリューム効果を奏する新たなマグネチックマスカラ及びその製造技術を提供する。【選択図】    図１
2019530481.tif 000002
【特許請求の範囲】
【請求項１】
取っ手として用いられる蓋と、
前記蓋の内側中心部から延びる棒と、
マスカラ溶液を収容する内部空間を含む容器と、を含むマスカラであって、
前記棒の自由端がブラシ毛のないマスカラ塗布ヘッドを含み、前記塗布ヘッドの内部空間が磁石を含むことを特徴とするマスカラ。
【請求項２】
前記塗布ヘッドが、ヘッド本体及び前記ヘッド本体よりも細い直径を有するヘッド末端を含み、
ヘッド本体の内部空間が磁石を含むが、ヘッド末端は磁石を含まないことを特徴とする請求項１に記載のマスカラ。
【請求項３】
前記ヘッド本体が円筒状であり、前記ヘッド末端が先細の円錐状のチップであることを特徴とする請求項２に記載のマスカラ。
【請求項４】
前記ヘッド本体が円筒状であり、前記ヘッド末端がヘッド本体よりも小さい直径を有する円筒状のチップであることを特徴とする請求項２に記載のマスカラ。
【請求項５】
前記マスカラ溶液を収容する内部空間の上端入口にパッキングを含み、前記パッキングが絞り形態を有することを特徴とする請求項１に記載のマスカラ。
【請求項６】
前記パッキングが、シリコーンパッキングであることを特徴とする請求項５に記載のマスカラ。
【請求項７】
前記磁石は、両極が棒の左右方向に形成されることを特徴とする請求項１に記載のマスカラ。
【請求項８】
前記磁石は、アルニコ磁石、フェライト磁石、希土類磁石、樹脂磁石、ゴム磁石及びプラスチック磁石からなる群より選択されることを特徴とする請求項１に記載のマスカラ。
【請求項９】
前記塗布ヘッドが、金属材質であることを特徴とする請求項１に記載のマスカラ。
【請求項１０】
前記塗布ヘッドには溝が形成されており、前記溝の形態は四角形または三角形であることを特徴とする請求項１に記載のマスカラ。
【請求項１１】
前記溝の深さが０．２〜０．５ｍｍであり、溝の間隔が０．５〜０．７５ｍｍであることを特徴とする請求項１０に記載のマスカラ。
【請求項１２】
前記マスカラ溶液が、酸化鉄を含むことを特徴とする請求項１に記載のマスカラ。
【請求項１３】
前記マスカラ溶液が、酸化鉄とまつ毛を引っ張る植物性ワックスとを共に含むことを特徴とする請求項１に記載のマスカラ。
【請求項１４】
前記まつ毛を引っ張る植物性ワックスが、カルナウバワックスを含むことを特徴とする請求項１３に記載のマスカラ。
【請求項１５】
（ｉ）一つのマスカラ棒と、（ｉｉ）蓋によって開閉する内部空間を含む二つ以上の容器と、を含むマスカラセットであって、
前記棒の自由端がブラシ毛のないマスカラ塗布ヘッドを含み、前記塗布ヘッドの内部空間が磁石を含み、
前記二つ以上の容器が、相異なるカラーの二つ以上のマスカラ溶液を各々含み、
前記棒は、洗浄して使うことができることを特徴とするマスカラセット。
【発明の詳細な説明】
【技術分野】
【０００１】
本発明は、磁石を含むマグネチックマスカラに関し、より詳しくは、マスカラ棒に磁石が内蔵され、東洋人の短いまつ毛にも卓越なカーリング、ロングラッシュ及びボリューム効果を有する新たなマグネチックマスカラ及びその製造技術に関する。
【０００２】
本出願は、２０１７年８月２１日出願の韓国特許出願第１０−２０１７−０１０５３４９号に基づく優先権を主張し、該当出願の明細書及び図面に開示された内容は、すべて本出願に援用される。
【背景技術】
【０００３】
マスカラは、まつ毛化粧に用いられる道具である。まつ毛化粧は、マスカラ溶液を塗ったブラシ毛を用いてまつ毛を上げる方法で行われる。
【０００４】
しかし、このような方法は、まつ毛一本一本にマスカラ溶液がまんべんなく塗られず、一部がダマになることがあり、まつ毛化粧時にまつ毛が一方に偏ることもあり、カーリング効果が弱く、ブラシ部分以外の棒部分などについたマスカラ溶液が、使用者の目元、鼻などについてしまう問題がある。
【０００５】
通常、マスカラに求められる機能と言えば、まつ毛一本一本の厚さを本来よりも太くして、まつ毛の量を多く見えるようにするボリューム（ｖｏｌｕｍｅ）、下向きまつ毛を上に上げて目つきを鮮かに見えるようにするカーリング（ｃｕｒｌｉｎｇ）、本来のまつ毛の長さよりも長く見えるようにするロングラッシュ（ｌｏｎｇｌａｓｈ）などが挙げられる。現在、各々の機能を実現するための数多い成分が存在し、マスカラ溶液に如何なる成分を使用するかによってマスカラの機能が左右され得るため、優れた効能成分の探索と導入が必須である。これに対し、ボリューム、カーリング、ロングラッシュなど、各々の機能を付与した製品が多く開発されたが、機能が劣り、各々の機能に伴って短所が大きくて満足しにくかった。
【０００６】
本明細書全体にかけて複数の文献が参照され、その引用が表されている。引用された文献の開示内容は、その全体として本明細書に参照として挿入され、本発明が属する技術分野の水準及び本発明の内容がより明確に説明される。
【発明の概要】
【発明が解決しようとする課題】
【０００７】
本発明は、上記問題点に鑑みてなされたものであり、マスカラ棒に磁石が内蔵され、東洋人の短いまつ毛に適しており、卓越なカーリング、ロングラッシュ及びボリューム効果を奏する新たなマグネチックマスカラ及びその製造技術を提供することを目的とする。
【課題を解決するための手段】
【０００８】
本発明の一観点は、取っ手として用いられる蓋と、前記蓋の内側中心部から延びる棒と、マスカラ溶液を収容する内部空間を含む容器と、を含むマスカラであって、前記棒の自由端がブラシ毛のないマスカラ塗布ヘッドを含み、前記塗布ヘッドの内部空間が磁石を含むことを特徴とするマスカラに関する。
【０００９】
磁石及び塗布ヘッドを含む棒
本発明者は、通常のマスカラのようにマスカラ塗布ヘッドにブラシ毛が形成された場合、ヘッドの内部に磁石が含まれているとしてもブラシ毛による磁力損失が多く、マスカラ溶液に作用できるほど十分かつ持続的な磁力の供給が不可能であるという事実に注目した。そこで、ブラシ毛のないマスカラ塗布ヘッドを製作し、これを用いる場合、安定的かつ均一な磁力エネルギーを持続的に供給可能となることを確認した。
【００１０】
本発明のマスカラ塗布ヘッドはブラシ毛がないため、棒を洗浄して使用することができ、これによって一つのマグネチック内蔵棒を用いて多様なカラーのマスカラ溶液をまつ毛に適用することができる。洗浄手段は、水、布切れ、ティッシュ、ウェットティッシュ、クレンジングシート、クレンジング溶液、アルコールなどが挙げられるが、これらに制限されない。
【００１１】
本発明のマスカラ塗布ヘッドの内部空間には、磁石、望ましくは、棒状の永久磁石を内蔵し得る。これにより、塗布ヘッドがマスカラ溶液に含有された酸化鉄（ＦｅＯ）と反応し、磁場によってまつ毛にカーリング効果、ロングラッシュ効果及びボリューム感増大の効果を提供することができる。
【００１２】
前記塗布ヘッドに内蔵される磁石は、焼結及び鋳造磁石、半硬質磁石、ＡｌＮｉＣｏ−９、ＡｌＮｉＣｏ−５などのようなアルニコ（ＡｌＮｉＣｏ）磁石；酸化物磁石、焼結磁石、Ｂａ−Ｆｅｒｒｉｔｅ、Ｓｒ−Ｆｅｒｒｔｉｅなどのようなフェライト磁石；焼結磁石、Ｓｍ−Ｃｏ、Ｎｄ−Ｆｅ−Ｂ、Ｙｔ−Ｃｏなどのような希土類磁石；樹脂磁石またはゴム成形磁石などのようなゴム磁石；及び射出成形磁石のようなプラスチック磁石などが挙げられるが、必ずしもこれらに制限されることではない。
【００１３】
また、前記磁石は、一方向に強く磁化した異方性磁石または多方向に磁化した等方性磁石であり得る。本発明において用いられる磁石が異方性磁石である場合、磁石の両極は、棒の上下または左右方向に形成され得るが、磁石の両極が棒の上下に形成される場合、マスカラ塗布ヘッドの端部にのみ磁力が集中的に供給されるため、磁石の両極が棒の左右方向に形成される磁石を使用することがより望ましい。
【００１４】
一具現例において、本発明のマスカラ塗布ヘッドに内蔵される磁石の直径は、２〜３ｍｍであり得る。
【００１５】
磁力の損失を最小化するために、ブラシ毛を取り除いた塗布ヘッドを用いるとしても、安定的かつ均一な磁力エネルギーの確保のためには、一定の太さ以上の棒磁石が求められ、この場合、塗布ヘッドが太くなり、東洋人の短いまつ毛に適しないという問題がある。一方、強い磁力を有する希土類磁石を内蔵する場合、塗布ヘッドの直径を減少させることができるが、希土類磁石の高い価格によって製品単価が高くなるという問題がある。
【００１６】
そこで、本発明者は、マスカラ塗布ヘッドがヘッド本体及び前記ヘッド本体よりも小さい直径を有するヘッド末端を含み、ヘッド本体の内部空間は磁石を含むが、ヘッド末端は磁石を含まないように棒を製造することで前記問題を解決した。この際、ヘッド末端は磁石を含まないが、ヘッド本体に内蔵された磁石から由来した磁性がヘッド末端にまで間接的に発現される。
【００１７】
本発明の一具現例において、前記ヘッド本体は円筒状であり、前記ヘッド末端は、先細の円錐状のチップ（ｔｉｐ）またはヘッド本体よりも小さい直径を有する円筒状のチップであり得る。
【００１８】
前記ヘッド本体及び末端を含むマスカラ塗布ヘッドは、金属材質、望ましくはステンレス鋼またはＳＵＳ（Ｓｔｅｅｌ  Ｕｓｅ  Ｓｔａｉｎｌｅｓｓ）材質、より望ましくは、磁化維持力のあるフェライト系ステンレス鋼であってもよく、または、磁性または磁化性パウダーを含む樹脂材質から形成されたものであってもよい。
【００１９】
前記樹脂材質には、ポリエチレンテレフタレート、ポリブチレンテレフタレート、ポリビニルクロライド、アクリロニトリル−ブタジエン−スチレンコポリマー（ＡＢＳ）、ナイロン６、ナイロン６６、ポリエチレン繊維、ポリプロピレン繊維、ポリテトラフルオロエチレン、ポリクロロトリフルオロエチレン、テトラフルオロエチレン、ポリフッ化ビニリデン、酢酸ビニル、アクリルアミド、メタクリル酸エステル、アクリル酸エステルのような合成樹脂材質；または、天然ゴム、スチレン−ブタジエンゴム（ＳＢＲ）、アクリロニトリル−ブタジエンゴム（ＮＢＲ）、ポリブタジエンゴム（ＢＲ）、ポリクロロプレンゴム（ＣＲ）、エチレン−プロピレンゴム（ＥＰＲ）、エチレン−プロピレン−ジエンゴム（ＥＰＤＭ）、チオコール、クロロブチルゴム（ＣＩＩＲ）、イソブチル−イソプレンゴム（ＩＩＲ）、エチレンビニルアセテート（ＥＶＡ）、シリコーンゴムなどのようなゴム材質を用い得るが、必ずしもこれらに制限されることではない。
【００２０】
本発明のマスカラ塗布ヘッドには溝が形成され得、前記溝の形態は四角形または三角形であってもよい。特に、溝の形態が三角形である場合、マスカラ溶液がダマになることなく繊細にまつ毛に適用することができる。
【００２１】
本発明の一具現例において、前記塗布ヘッド本体の直径は５〜６ｍｍであり得、塗布ヘッドに形成されている前記溝の深さは０．２〜０．５ｍｍであり、溝の間隔は０．５〜０．７５ｍｍであり得る。
【００２２】
パッキング
本発明の望ましい具現例において、マスカラ溶液を収容する内部空間の上端入口にはパッキングが含まれており、前記パッキングは絞り（ａｐｅｒｔｕｒｅ）の形態を有することを特徴とする。
【００２３】
マスカラ容器においてパッキングは、棒及びブラシにつきすぎたマスカラ溶液を調節して少量の溶液のみを繊細にまつ毛に適用可能にするために、棒を掻き出す部品をいう。
【００２４】
本発明のマスカラ容器において、前記パッキングは弾性素材、例えば、シリコーンパッキングであり得、棒の最後端まで扱くために弾性を有する素材から製造することが望ましい。
【００２５】
通常のパッキングは、棒が内部容器への出入り方式によって影響を受けないように円形の形状を有する。しかし、棒よりも塗布ヘッドの太さが細い場合、円形の形状を有する通常のマスカラパッキングをもっては、塗布ヘッドを充分掻き出すことができないという問題がある。
【００２６】
そこで、棒よりも直径が細い塗布ヘッドを備えたマスカラの場合、塗布ヘッドを棒中に動かせるアクチュエーターを備え、塗布ヘッドが入り込む棒末端の入口に追加のパッキングを備え、アクチュエーターを作動して棒の内部へ塗布ヘッドが後退するときに塗布ヘッドを再度掻き出すようにした複雑な構造を採択することもある。しかし、この場合、マスカラの残余溶液が棒の内部に入られて固まる問題が発生し、掃除が難しくて非衛生的であり、構造が複雑で生産コストが高まり、アクチュエーターに故障が発生するなどの問題を生じ得る。
【００２７】
本発明者は、マスカラ溶液を収容する内部空間の上端入口に設けられたパッキングを絞り形態で構成することで前記問題を解決した。
【００２８】
絞り形態とは、外力のないときは、中央に位置した点として収斂して閉められた模様を取り、外力が加えられる場合、カメラ絞りのように中央から四方へ次第に開かれる形態を意味する。本発明のマスカラにおいてパッキングが有し得る絞り形態の例示を図４に示した。
【００２９】
このようにパッキングが絞り形態を有する場合、棒やヘッドの模様にかかわらず、棒が内部容器への出入り方式によっても影響を受けない。また、棒及び塗布ヘッドの太さにも影響を受けないため、二つ以上の直径を含んで繊細にまつ毛を整えることができるマスカラ塗布ヘッドを提供することができる。
【００３０】
一具現例において、本発明のマスカラが一定の太さを有する棒、棒よりも細い塗布ヘッド本体、塗布ヘッド本体よりも細い塗布ヘッド末端を備える場合にも、容器の上端入口に絞り形態のパッキングを備える場合、太さに関係なく、棒、ヘッド本体及びヘッド末端が全部、十分に掻き出されて拭かれる。
【００３１】
マスカラ溶液
本発明のマグネチックマスカラ容器に担持されるマスカラ溶液は、酸化鉄成分を含むことができる。この場合、磁石を内蔵した塗布ヘッドでまつ毛を梳きながらマスカラ溶液をつけるとき、塗布ヘッドの磁性によって酸化鉄成分が整列され、まつ毛を伸びる効果を奏する。
【００３２】
望ましい具現例において、本発明のマグネチックマスカラ容器に担持されるマスカラ溶液は、酸化鉄成分とともに、まつ毛を引っ張る植物性ワックス成分を含み得る。
【００３３】
通常のマスカラ溶液において、植物性ワックスは、動物性、鉱物性または合成ワックスとその機能に特に差異がなく、均等物として当業界において知られていた。しかし、本発明者は、ワックシングゲル成分に含まれる除毛機能のある植物性ワックス成分がまつ毛を引っ張る役割を果たすことから、これらがマグネチックマスカラと接触したとき、磁力によって、酸化鉄を含む溶液が、引っ張られたまつ毛に整列されることを助け、その結果、大幅向上したカーリング及びロングラッシュ効果を達成することができることが分かった。
【００３４】
前記まつ毛を引っ張る植物性ワックス成分としては、望ましくは、カルナウバワックス、コメヌカロウ及びモクロウからなるものであり得る。
【００３５】
通常マスカラに含まれる植物性ワックスには、カルナウバワックス、カンデリラろう、シュガーワックス、ヒマワリ種子ロウ及び木蝋などがあるが、カンデリラろう、シュガーワックス、ヒマワリ種子ロウ及び木蝋のような他の通常の植物性ワックスはまつ毛を引っ張る機能がないため、これらを用いては磁力及び酸化鉄の作用による著しいカーリング及びロングラッシュ効果を達成することができない。
【００３６】
望ましい具現例において、前記まつ毛を引っ張る植物性ワックス成分は、マスカラ溶液に多量で含まれ、例えば、少なくとも１％（ｖ／ｖ）、少なくとも２％（ｖ／ｖ）、少なくとも３％（ｖ／ｖ）、少なくとも４％（ｖ／ｖ）、少なくとも５％（ｖ／ｖ）、少なくとも６％（ｖ／ｖ）、少なくとも７％（ｖ／ｖ）、少なくとも８％（ｖ／ｖ）、少なくとも９％（ｖ／ｖ）、または少なくとも１０％（ｖ／ｖ）の含量で含まれ得る。
【００３７】
本発明においては、前述の成分に加え、動物性、鉱物性または合成ワックス成分、乳化剤、増粘剤、フィルム形成剤、色素、蒸留水、保湿剤及び防腐剤などからなる群より選択された一つ以上の成分をさらに含み得る。
【００３８】
動物性ワックスには、蜜蝋及びラノリンワックスなどを用い得、鉱物性ワックスには、パラフィン、セレシン、マイクロクリスタリンワックス及びオゾケライトなどを用い得、また、合成ワックスには、ポリエチレンワックス及びフィッシャートロプシュ合成法によって作られたワックスなどを用い得る。
【００３９】
前記乳化剤には、当業界で使用される通常の乳化剤を用い得、前記増粘剤には、アカシアガム、キサンタンガム、カルギニン、マグネシウムアルミニウムシリケート、ヒドロキシエチルセルロース、ヒドロキシプロピルセルロース、カルボキシメチルセルロース及びセルロース誘導体からなる群より選択された一つ以上を用い得る。
【００４０】
前記フィルム形成剤には、ポリビニルアルコール、ポリビニルアセテート、ポリビニルピロリドン、アンモニウムアクリレート共重合体、ＰＶＰ／エイコセン共重合体、アクリリック／アクリレート共重合体、アクリレート共重合体、アルキルアクリレート共重合体エマルション及びヒドロキシエチルセルロースジメチルジアリルアンモニウムクロライドコポリマー（Ｈｙｄｒｏｘｙｅｔｈｙｌｃｅｌｌｕｌｏｓｅ  Ｄｉｍｅｔｈｙｌｄｉａｌｌｙａｍｍｏｎｉｕｍ  Ｃｈｌｏｒｉｄｅ  Ｃｏｍｐｏｌｙｍｅｒ，商品名：ポリクオタニウム−４）からなる群より選択された一種以上を用い得る。
【００４１】
前記色素には、無機色素、有機色素またはパール色素などを用い得、目的する色と色の濃度に応じて色素一種、または一種以上を混合して用い得る。
【００４２】
前記保湿剤には、マスカラ溶液に通常使用される多種の保湿剤を用いることができ、例えば、グリセリン、１，３−ブチレングリコール、プロピレングリコール、ＤＬ−パンテノール、ソルビトール、グリコールジステアレート及びソルビトールヒドロキシステアレートなどからなる群より選択された一種以上を用いることができる。
【００４３】
前記防腐剤には、マスカラ溶液に通常使用されるものを用いることができ、例えば、イミダゾリジニルウレア、ジアゾリジニルウレア、クオタニウム−１５、フェノキシエタノール、エタノール、ソルビン酸カリウム、パラオキシ安息香酸メチル、パラオキシ安息香酸ブチル、パラオキシ安息香酸プロピル及びパラオキシ安息香酸エチルからなる郡より選択された一種以上を用いることができる。
【００４４】
また、本発明によるマスカラ溶液は、本発明による目的を阻害しない範囲内で、ｐＨ調整剤、浸透補助剤及び製品の剤形化のための安定化剤、界面活性剤、コンディショニング剤、皮膚柔軟化剤、外観向上剤、香料、顔料、金属イオン封鎖剤などの多様な化粧品剤形化剤をさらに含み得る。
【００４５】
本発明の他の観点は、（ｉ）一つのマスカラ棒と、（ｉｉ）蓋によって開閉する内部空間を含む二つ以上の容器と、を含むマスカラを提供する。ここで、前記棒の自由端はブラシ毛のないマスカラ塗布ヘッドを含み、前記塗布ヘッドの内部空間は磁石を含み、前記二つ以上の容器は相異なるカラーのマスカラ溶液を各々含む。
【００４６】
このように、前記マスカラ塗布ヘッドはブラシ毛がないため、棒を洗浄して用いることができ、一つのマグネチック内蔵棒を用いて多様なカラーのマスカラ溶液をまつ毛に適用することができる。
【００４７】
本発明によるマスカラは、まつ毛の根元からジグザグに上げるように塗る方法で、まつ毛を引っ張る（除毛機能のある）植物性ワックス成分が多量含有されたマスカラ溶液がまつ毛の間々に均一に塗布されるようにする。そうすれば、マスカラ成分中の酸化鉄が磁力によってまつ毛の毛先に自動にくっついて酸化鉄が同じ方向に整えながら伸びる。したがって、物理的な力で内容物をまつ毛に塗る通常のマスカラとは相違に、磁力による著しいカーリング効果を示し、また、まつ毛の毛先についた酸化鉄が結び続けられるため、よりきれいにロングラッシュ効果を具現することができる。
【発明の効果】
【００４８】
本発明のマスカラは、ブラシ毛のないマスカラ塗布ヘッドを含み、洗浄して使用が可能であり、磁石を内蔵していることで東洋人の短いまつ毛を精密に整えることができる効果を奏する。
【図面の簡単な説明】
【００４９】
【図１】図１は、本発明の一具現例によるマスカラを示す。
【図２】図２は、本発明の一具現例によるマスカラ容器２０を示す。
【図３】図３は、本発明の一具現例によるマスカラ棒１０及び内蔵されている磁石１２を示した。図３において、ヘッド末端は、先細になる円錐状のチップである場合を示している。
【図４】図４は、本発明の一具現例において、マスカラのラパッキングが有し得る絞り形態を示した。
【図５】図５は、本発明の一具現例において、酸化鉄とまつ毛を引っ張る植物性ワックスとを共に含むマスカラ溶液が磁力によって作用する原理を示す。
【発明を実施するための形態】
【００５０】
以下、本発明を具体的な実施例を挙げて説明する。しかし、これらの実施例は、ただ本発明をより具体的に説明するためのものであって、本発明の範囲がこれらの実施例によって限定されないことは、本発明が属する技術分野における通常の知識を持つ者にとって自明であろう。
【００５１】
＜実施例＞
製造例
下記の表１の成分及び含量（ｖ／ｖ％）でマスカラ溶液を製造した。この際、植物性ワックス成分としては、カルナウバワックス、コメヌカロウ及びモクロウを用いた。
【００５２】
【表１】
2019530481.tif 000003
【００５３】
実験例
ブラシ毛のないマスカラ塗布ヘッドを含み、塗布ヘッドの内部空間に磁石を含む本発明のマグネチックマスカラ器具を製作し、２０〜４０代の女性２０名にまつ毛化粧を行わせ、まつ毛の延長長さに及びカールの曲率を評価した。
【００５４】
カールの曲率は、下記の評価基準に準拠した。
−Ｊカール：人のまつ毛に類似な緩慢なカーリング
−ＪＣカール：ＪカールとＣカールとの中間程度の曲率であって自然なカーリング効果を示し、毛先部分でカールが強いタイプ
−Ｃカール：ビューラーで挟んだようなカール
−ＣＣカール：Ｃカールよりも強いカール
【００５５】
下記の表２において、実施例は、前記製造例で製造した酸化鉄とカルナウバワックスとを共に含むマスカラ溶液を用いた場合の実験結果である。比較例１〜２は、植物性ワックス成分として、カルナウバワックス、コメヌカロウ及びモクロウの代りに、各々カンデリラろう（比較例１）、カルナウバワックス及びヒマワリ種子ロウの同量混合物（比較例２）またはシュガーワックス（比較例３）を用いたことを除いては、前記製造例と同一に製造したマスカラ溶液を用いた場合の実験結果を示した。
【００５６】
【表２】
2019530481.tif 000004
【００５７】
実験結果、実施例のマスカラ溶液を磁石に適用する場合、最も著しいロングラッシュ効果を示し、毛先部分でカールが強いＪＣカールまたはビューラーで挟んだようなＣカールが形成されることに対し、他の植物性ワックス成分を用いた比較例１〜３の場合、カーリング及びロングラッシュ効果が少なかった。これは、カルナウバワックスに除毛機能があり、まつ毛が引っ張れた状態で磁力が作用し、まつ毛の毛先についた酸化鉄が結び続けられるためである。
【符号の説明】
【００５８】
１０    棒
１１    塗布ヘッド
１１ａ    塗布ヘッド本体
１１ｂ    塗布ヘッド末端
１２    磁石  
２０    容器
３０    蓋 
【図１】
2019530481.tif 000005
【図２】
2019530481.tif 000006
【図３】
2019530481.tif 000007
【図４】
2019530481.tif 000008
【図５】
2019530481.tif 000009
【国際調査報告】
2019530481.tif 000010
2019530481.tif 000011
2019530481.tif 000012
2019530481.tif 000013